(57)【要約】【課題】本発明は、カム面（２８），コックされた位置に撃鉄（２０）を保持する回転逆鉤（４６）及び引き金（２４）上のピボットピン（５４）に連結されたトランスファー・バー（２６）を有するばね負荷遊底（１２）付きの半自動ピストル（１０）用のダブルアクション撃鉄引き金機構に関する。トランスファー・バーは、遊底が撃発の間に後方向に移動する時にこのトランスファー・バーを下に移動させるカムフィンガー（３０）を有する。逆鉤がコックされた撃鉄を保持する時に、トランスファー・バー上の第２フィンガー（６２９が、逆鉤上のシングルアクション発射ピン（５６）に係合し、撃鉄を解放するために引き金が引かれる時にこの逆鉤を回転させる。トランスファー・バーは、撃鉄上のダブルアクション発射ピン（５８）を受けるノッチ（６０）を有する。その結果、引き金が引かれた時に、トランスファー・バーが、撃鉄をコッキング方向に回転させる。
2006502370.tif 000002
【特許請求の範囲】
【請求項１】
フレームを有し、弾薬を収納する銃身を有し、銃身に対して前位置と後位置との間で長手方向に移動するように配置された遊底を有し、この遊底は、前方向にばね負荷され、かつ弾薬が撃発された時に後方向に移動されるように適合され、この遊底はカム面を規定し、弾薬をたたくために遊底内で長手方向に摺動可能な撃針を有し、フレーム上の第１ピボットポイント周りに回転するように配置された撃鉄を有し、この撃鉄は逆鉤ノッチを規定し、この撃鉄を撃針方向に向けるばね偏向手段を有し、フレーム上の第２ピボットポイント周りに回転するように配置されたばね負荷逆鉤を有し、撃鉄がばね偏向手段に逆らって回転した時に、この逆鉤は、逆鉤ノッチに連動するリップを有してコックされた撃鉄を保持し、引き金ピボットピン付きの引き金を有し、この引き金ピボットピンは、引き金が引かれる時に前方向に移動するように配置され、この引き金ピボットピンに連結された第１端部を備えたトランスファー・バーを有し、このトランスファー・バーは、遊底が前位置にある時にカム面に連動する第１フィンガーを有し、そしてこの第１フィンガーをカム面に向けて偏向させるトランスファー・スプリングを有する公知の形式のピストル用のダブルアクション撃鉄引き金機構の改良において、
この改良は、逆鉤上に配置されたシングルアクション発射ピンから構成され、
このトランスファー・バーは、逆鉤がコックされた撃鉄を保持するときのこの撃鉄を解放するためにこの撃鉄が引かれる時にシングルアクション発射ピンに係合して逆鉤を回転させるように配置された第２フィンガーをさらに有し、
この改良は、撃鉄上に配置されたダブルアクション発射ピンから構成され、
このトランスファー・バーは、撃鉄が中間位置に引かれた時にダブルアクション発射ピンを受けてこのトランスファー・バーがばね偏向手段に逆らって撃鉄をコッキング方向に回転できるように配置されたトランスファー・バーのノッチをさらに規定し、撃鉄がダブルアクション発射位置に引かれた時に、トランスファー・バーの第１フィンガーが、遊底のカム面に連動してトランスファー・バーのノッチをこのダブルアクション発射ピンから離して撃鉄を解放するように配置されていることを特徴とする改良。
【請求項２】
トランスファー・バーは、その第１端部に回転可能に取り付けられた引き金ピボットピンを有し、かつ遊底の下の後方向に延在し、この場合、第１フィンガーが、このトランスファー・バーから横に延在して遊底上のカム面に係合し、撃鉄がコックされている時に、第２フィンガーは、第１フィンガーから離れていて、これらのフィンガー間のシングルアクション発射ピンを受け、そしてこのシングルアクション発射ピンに対して直近に位置決めされる請求項１に記載の改良。
【請求項３】
トランスファー・バーは、その第１端部に回転可能に取り付けられた引き金ピボットピンを有し、かつ遊底の下の後方向に延在し、この場合、第１フィンガーが、このトランスファー・バーから横に延在して遊底上のカム面に係合し、撃鉄が引かれる時に、トランスファー・バーが遊底から離れるように、カム面が形成されていて、撃鉄が引かれた時に、ダブルアクション発射ピンがトランスファー・バーのノッチ内に保持されてこの撃鉄をコックされる位置に向かって移動させ、そしてこの撃鉄がコックされる位置に到達する前に、このダブルアクション発射ピンをこのノッチから解放するように、このトランスファー・バーのノッチは形成されている請求項１に記載の改良。
【請求項４】
トランスファー・バーは、逆鉤に並んで延在し、この場合、シングルアクション発射ピンは、この逆鉤上に配置されたピンから構成され、第２ピボットポイントに対して平行に延在し、第１フィンガーと第２フィンガーとの間のトランスファー・バーの上にある請求項１に記載の改良。
【請求項５】
トランスファー・バーは、撃鉄に並んで延在し、この場合、ダブルアクション発射ピンは、撃鉄上に配置されたピンから構成され、第１ピボットポイントに対して平行に延在し、トランスファー・バーのノッチに十分整合してこのトランスファー・バーの上にある請求項１に記載の改良。
【請求項６】
ピストル内のダブルアクション撃鉄引き金機構用のトランスファー・バーにおいて、このトランスファー・バーは、第１端部及び第２端部を有する縦長のロッドから構成され、第１端部は、ピボット孔を規定し、第１フィンガーが、トランスファー・バーから横方向に延在しかつ円い端部をなし、第２フィンガーが、このピボット孔の反対側の第１フィンガーから離れていて、この第２フィンガーは、横方向に延在しかつ第１フィンガーよりも短く、このトランスファー・バーは、横方向に面する第２端部のトランスファー・バーのノッチを規定するトランスファー・バー。
【発明の詳細な説明】
【技術分野】
【０００１】
本発明は、ピストル用の改良したダブルアクション撃鉄引き金機構に関する。さらに特に本発明は、撃鉄をシングルアクション発射位置で解放するか又は引き金がダブルアクション発射位置まで引かれた時に撃鉄を引いて解放するために、引き金が公知の形式のトランスバー・操作手段を操作する時に撃鉄を解放する改良した機構に関する。
【背景技術】
【０００２】
ピストル、特に自動装填又は自動ピストルは、外部撃鉄を有する。この外部撃鉄は、後方でコックされ、逆鉤に係合され、次いで引き金を強く引くことによって急に外され得る。この引き金は、結合によってこの逆鉤に係合し、撃鉄に対するその係合を解放する（シングルアクション発射）。この代わりに、撃鉄を解放のために後方に引いてこの撃鉄を最初にコックすることなしに引き金を強く引くことによって撃発してもよい。このことは、上述した目的のために撃鉄を引き金に係合させる結合システムによって実施される；撃鉄が逆鉤によって係合され得る前に、撃鉄を後方に引いてこの撃鉄を解放する（ダブルアクション発射）。
【０００３】
本発明は、上述した方法で機能するピストルに関する。このピストルは、多くの場合にフレーム内の弾倉の後の領域内に位置決めされたハンマースプリングを有し、シングルアクション発射及びダブルアクション発射を実施するため様々な要素から構成される。熟練した銃工以外の者がこれらの機構に関与することは従来では薦められない。何故なら、これらの機構は複雑であり、かつ、不適切な組み立て又は分解が非常に起こりやすいからである。本発明は、機械工の素質がある者が容易に理解できる基本要素でこれらの同じ目標を達成することによってこれらの事項に取り組む。
【発明の開示】
【発明が解決しようとする課題】
【０００４】
本発明の１つの課題は、ピストル用の簡略化されたダブルアクション撃鉄引き金機構を提供することにある。
【０００５】
本発明の別の課題は、引き金に連結されたトランスファー・バーを使用してコックされた撃鉄に係合した逆鉤を解放する改良されたシングルアクション機構を提供することにある。
【０００６】
本発明の別の課題は、逆鉤が撃鉄に係合する前にこの撃鉄を引いて解放するために引き金に連結されたトランスファー・バーを使用する改良されたダブルアクション発射機構を提供することにある。
【０００７】
本発明のもう１つの課題は、自動撃発又は半自動撃発用のリコイル・スプリングによって操作される遊底を有する形式の自動ピストル又は半自動ピストルに適した改良された撃鉄引き金機構を提供することにある。
【課題を解決するための手段】
【０００８】
フレームを有し、弾薬を収納する銃身を有し、銃身に対して前位置と後位置との間で長手方向に移動するように配置された遊底又はボルトを有し、この遊底又はボルトはカム面を規定し、弾薬をたたくために遊底又はボルト内で長手方向に摺動可能な撃針を有し、フレーム上の第１ピボットポイント周りに回転するように配置された撃鉄を有し、この撃鉄は逆鉤ノッチを規定し、この撃鉄を撃針方向に向けるばね偏向手段を有し、フレーム上の第２ピボットポイント周りに回転するように配置されたばね負荷逆鉤を有し、撃鉄が回転した時に、この逆鉤は、逆鉤ノッチに連動するリップを有してコックされた撃鉄を保持し、引き金ピボットピン付きの引き金を有し、この引き金ピボットピンは、引き金が引かれる時に前方向に移動するように配置され、この引き金ピボットピンに連結された第１端部を備えたトランスファー・バーを有し、このトランスファー・バーは、遊底が前位置にある時にカム面に連動する第１フィンガーを有し、そしてこの第１フィンガーをカム面に向けて偏向させるトランスファー・スプリングを有する形式のピストル用の改良されたダブルアクション撃鉄引き金機構にあって、この改良は、逆鉤上に配置されたシングルアクション発射ピンから構成され、トランスファー・バーは、逆鉤がコックされた撃鉄を保持するときのこの撃鉄を解放するためにこの撃鉄が引かれる時にシングルアクション発射ピンに係合して逆鉤を回転させるように配置された第２フィンガーをさらに有し、この改良は、撃鉄上に配置されたダブルアクション発射ピンから構成され、トランスファー・バーは、撃鉄が中間位置に引かれた時にダブルアクション発射ピンを受けてこのトランスファー・バーがばね偏向手段に逆らって撃鉄をコッキング方向に回転させるように配置されたノッチを規定し、撃鉄がダブルアクション発射位置に引かれた時に、トランスファー・バーの第１フィンガーが、遊底のカム面に連動してトランスファー・バーのノッチをこの発射ピンから離して撃鉄を解放する。
【発明を実施するための最良の形態】
【０００９】
図１を参照すると、本発明は、（図示しなかった）スプリング装填される弾薬の弾倉を使用しかつ弾薬１４が撃発される時に（図示しなかった）リコイル・スプリングに逆らって前方位置から後方位置に運動するために適合された往復運動する遊底１２を有する方式の半自動ピストルの実施の形態として説明されている。この分野で周知の方法で、薬莢１４が、後退運動の間に排出され、新しい弾薬が、戻る前方運動の間に弾倉から取り出されて銃身１６の内腔に装填される。遊底１２は、フレーム１８上のトラックに沿って往復運動可能である。撃鉄２０は、フレーム１８上に回転可能に搭載されていて撃針２２をたたく。弾薬１４の背面をたたくように、この撃針２２は、遊底１２内で長手方向に摺動可能である。引き金２４は、フレーム内に回転可能に搭載されていて、押すか又は引くためトランスファー・バー２６に連結されている。遊底１２は、カム面２８を有する。トランスファー・バーが、引き金２４によって長手方向に押されるか又は引かれる時に、カム面２８は、第１フィンガー３０に連動してこのトランスファー・バー２６の端部を上げるか又は下げる。これらの要素のリストは、従来の技術で公知の構成を示す。本発明は、以下の図で示すように矢印Ａの周辺の結合の改良に関する。
【００１０】
図２を参照すると、引き金の回転が０°でかつ撃鉄の回転が０°の時の撃鉄引き金機構が示されている。トランスファー・バー２６が、マガジンウェル３４内に位置決めされた適切な形式のトランスファー・スプリング３２によって上方に偏向されている。撃鉄２０が、フレーム上の第１ピボットピン３６を規定するピン周りに回転するように配置されている。撃鉄が、逆鉤ノッチ３８を規定し、ばね偏向配置の公知の形式によってばねで偏向されている。このばね偏向配置は、撃鉄ばね圧縮ピン４４によって撃鉄スプリングウェル４２内で圧縮されたばね４０を有する。
【００１１】
ばね負荷逆鉤４６が、逆鉤スプリングウェル５０内に位置決めされた圧縮ばねに逆らって第２ピボットポイント４８を規定するピン周りに回転するように配置されている。ばね負荷逆鉤は周知である。本発明の詳細を不明瞭にしないため、ばねは記載されていない。
【００１２】
引き金２４が、フレーム上の第３ピボットポイント５２を規定するピン周りに回転するように配置されていて、引き金ピボットピン５４によってトランスファー・バー２６に回転可能に連結されている。引き金２４が引かれる時に、引き金ピボットピンが、トランスファー・バー２６を前方向に引く。
【００１３】
本発明によれば、逆鉤４６は、シングルアクション発射ピン５６を有し、撃鉄２０は、ダブルアクション発射ピン５８を有する。これらは、トランスファー・バー２６上のノッチ６０及び第２フィンガー６２に連動するように配置されている（図２ａ参照）。
【００１４】
拡大した図２ａを参照すると、トランスファー・バー２６の端部が、ダブルアクション発射ピン５８を受けるために配置されたノッチ６０を規定する。さらにトランスファー・バー２６は、第２フィンガー６２を規定する。この第２フィンガー６２は、引き金が引かれる時にシングルアクション発射ピンに係合して逆鉤を回転させるために配置されている。
【００１５】
図３を参照すると、引き金が49.5°回転し、撃鉄が60°回転した時の撃鉄引き金機構が示されている。撃鉄２０が、シングルアクション発射に対してコックされ逆鉤４６によって定位置に保持されて示されている。カム面２８によって示されているように、引き金２４が引かれることによって、トランスファー・バー２６が、前方かつ下方に引かれる。トランスファー・バー上の第２フィンガー６２が、シングルアクション発射ピン５６に係合するように位置決めされかつ寸法決めされている。このことは、逆鉤４６を回転させ撃鉄２０を解放して撃針２２をたたく。
【００１６】
図４〜６は、ダブルアクション発射の順序を示す。図４を参照すると、引き金の回転が30°で、撃鉄の回転が34.2°の時の撃鉄引き金機構が示されている。引き金２４が引かれる時に、トランスファー・バー２６が前方に移動しながら、第１フィンガー３０が、このトランスファー・バー２６をトランスファー・スプリング３２に逆らって下方向に押す。トランスファー・バーのノッチ６０が、ダブルアクション発射ピン５８に係合し、撃鉄スプリングウェル４２内の圧縮ばね４０に逆らって撃鉄２０のコックを開始する。
【００１７】
図５を参照すると、引き金２４が、40°の回転位置に引かれ、ばね４０に逆らって撃鉄を35°の位置にさらに回転させる。カム面２８が、トランスファー・スプリング３２に逆らって下方向に移動し続ける。このことは、ノッチ６０を移動させてダブルアクション発射ピン５８から離す。
【００１８】
最後に図６を参照すると、引き金が55°の引き金の回転まで引かれ、撃鉄が49.2°の撃鉄の回転まで回転した時のダブルアクション発射位置が示されている。逆鉤が、コックされた位置（図３）で撃鉄を保持するためにこの撃鉄にまだ係合していない。第１フィンガー３０は、ノッチ６０がダブルアクション発射ピン５８をもはや保持しない地点までトランスファー・バー２６を下げる。このことは、撃鉄２０を解放して撃針２２をたたく。
【００１９】
リコイル遊底及び遊底が前位置にある時に遊底内に配置されたカム面を有する半自動ピストルに関して説明した。本発明は、遊底機構の代わりにボルトを有するピストルに対して同様に適用可能である。この場合、ボルトが閉じられて弾薬を薬室内に保持する。ボルトが前位置にある時に、カム面２８に似たカム面が、トランスファー・バーに連動するようにこのボルト内に配置されている。ボルトを有するピストルに適用するために本発明を変更することは、当業者によって容易に理解される。
【００２０】
ここでは本発明の好適な実施の形態を説明したが、当業者は、その他の実施の形態も考えられる。全てのこのような実施の形態を本発明の範囲内で守ることが望ましい。
【図面の簡単な説明】
【００２１】
【図１】一部を切断した半自動ピストルの側面図である。
【図２】コックされていない撃鉄引き金機構の特定の側面図である。
【図２ａ】図２の機構の一部の拡大図である。
【図３】図２の引き金機構の側面図である。撃鉄が、シングルアクション発射に対してコックされている。
【図４】ダブルアクション撃鉄回転を開始する撃鉄機構の主な要素の簡略図である。
【図５】ダブルアクション運動のその後の段階での同じ機構の側面図である。
【図６】ダブルアクション発射位置での機構の側面図である。
【符号の説明】
【００２２】
１２  遊底
１４  弾薬
１６  銃身
１８  フレーム
２０  撃鉄
２２  撃針
２４  引き金
２６  トランスファー・バー
２８  カム面
３０  第１フィンガー
３２  トランスファー・スプリング
３４  マガジンウェル
３６  第１ピボットポイント
３８  逆鉤ノッチ
４０  ばね
４２  撃鉄スプリングウェル
４４  ばね圧縮ピン
４６  ばね負荷逆鉤
４８  第２ピボットポイント
５０  逆鉤スプリングウェル
５２  第３ピボットポイント
５４  引き金ピボットピン
５６  シングルアクション発射ピン
５８  ダブルアクション発射ピン
６０  ノッチ
６２  第２フィンガー
【図１】
2006502370.tif 000003
【図２】
2006502370.tif 000004
【図３】
2006502370.tif 000005
【図４】
2006502370.tif 000006
【図５】
2006502370.tif 000007
【図６】
2006502370.tif 000008
【国際調査報告】
2006502370.tif 000009
2006502370.tif 000010
2006502370.tif 000011